【事件の表示】
　平成１１年特許願第　３２３６３号「表示装置及び表示装置の製造方法」拒絶査定不服審判事件〔平成１２年８月２２日出願公開、特開２０００−２３１１５４〕について、次のとおり審決する。
【結　論】
　本件審判の請求は、成り立たない。
【理　由】
第１　手続の経緯
　本願は、平成１１年２月１０日に出願された特願平１１−３２３６３号の出願に係り、原審における平成１７年４月８日付の拒絶理由通知に対し、平成１７年６月１３日付の明細書を補正する手続補正書が提出され、再度の原審における平成１８年１月１１日付の拒絶理由通知に対し、平成１８年３月１６日付で意見書とともに明細書を補正する手続補正書が提出され、平成１８年１月１１日付の前記拒絶理由により平成１８年５月１１日付で拒絶査定され、その後、前記拒絶査定を不服として、平成１８年６月１５日に拒絶査定不服審判が請求され、その請求の日から３０日以内の平成１８年７月１８日付の明細書を補正する手続補正書が提出されたものである。
　
第２　平成１８年７月１８日付の手続補正についての補正の却下の決定
　
［補正の却下の決定の結論］
　平成１８年７月１８日付の手続補正を却下する。
　
［理由］
１　補正の内容
　平成１８年７月１８日付の手続補正（以下、この補正を「本件補正」という。）は、平成１８年３月１６日付の手続補正により補正された特許請求の範囲についての
「【請求項１】
　光束を出射する光源と、
　前記光源からの光束を複数色に分離する分離手段と、
　前記複数色の各々に対応して配置された複数個のライトバルブと、
　少なくとも、前記複数個のライトバルブからの光束を合成する合成手段と、前記合成手段からの光束を投射する投射手段を有する投射系ユニットと、
　少なくとも、前記光源と前記分離手段とを有するケースとを有し、
　前記投射系ユニットは、一体的に、前記ケースに支持されることを特徴とする表示装置。
　【請求項２】
　請求項１記載の表示装置であって、前記投射系ユニットは、少なくとも前記光源の光軸に対して前記投射手段の光軸を所定量ずらした方向側に着脱されることを特徴とする表示装置。
　【請求項３】
　請求項１又は２記載の表示装置であって、前記複数個のライトバルブと前記合成手段と前記投射手段は、一体的に、前記ケースに支持されることを特徴とする表示装置。
　【請求項４】
　請求項１から３の何れかに記載の表示装置であって、前記複数個のライトバルブと前記合成手段は、一体的に、前記ずらした方向側に着脱されることを特徴とする表示装置。
　【請求項５】
　少なくとも、光束を出射する光源と、前記光源からの光束を複数色に分離する分離手段とをケースに配置するステップと、
　前記ケースに、少なくとも前記複数色の各々に対応して配置された複数個のライトバルブと、前記複数個のライトバルブからの光束を合成する合成手段と、前記合成手段からの光束を投射する投射手段であって、少なくとも前記光源の光軸に対して前記投射手段の光軸を所定量ずらして配置した投射手段とを有する投射系ユニットとを取り付けるステップとを経て、製造されることを特徴とする表示装置の製造方法。」
の記載を、
「【請求項１】
　光束を出射する光源と、
　前記光源からの光束を複数色に分離する分離手段と、
　前記複数色の各々に対応して配置された複数個のライトバルブと、
　前記複数個のライトバルブからの光束を合成する合成手段と、
　前記合成手段からの光束を投射する投射手段とを有し、
　前記複数個のライトバルブと前記合成手段と前記投射手段は、あおり方向に、一体的に着脱することを特徴とする表示装置。
　【請求項２】
　少なくとも、光束を出射する光源と、前記光源からの光束を複数色に分離する分離手段とをケースに配置するステップと、
　前記複数色の各々に対応して配置された複数個のライトバルブと、前記複数個のライトバルブからの光束を合成する合成手段と、前記合成手段からの光束を投射する投射手段を一体化し、投射系ユニットを形成するステップと、
　前記投射系ユニットを、前記ケースに、あおり方向から配置するステップとを経て、製造されることを特徴とする表示装置の製造方法。」
と補正するものである。
　
２　本件補正についての検討
（１）本件補正が特許法第１７条の２第４項の規定に適合するか否か、すなわち、同法第１７条の２第１項第４号の規定によりなされた特許請求の範囲についてする補正が、同法第１７条の２第４項の第１号ないし第４号に規定する補正の目的に該当する補正であるか否かについて検討する。
（２）本件補正の内容
　本件補正は、本件補正前の請求項２ないし４を削除するとともに、本件補正前の請求項１を、本件補正により新請求項１とし、本件補正前の請求項５を、本件補正により、繰り上げて新請求項２としたものと認められる。
　しかしながら、本件補正により、本件補正前の請求項１に記載されていた「少なくとも、前記複数個のライトバルブからの光束を合成する合成手段と、前記合成手段からの光束を投射する投射手段を有する投射系ユニット」の発明特定事項が、新請求項１では、「前記複数個のライトバルブからの光束を合成する合成手段と、」と補正されることにより、本件補正前の前記「投射系ユニット」から「前記合成手段からの光束を投射する投射手段」の発明特定事項が削除され、さらに、本件補正前の請求項１に記載されていた「少なくとも、前記光源と前記分離手段とを有するケースとを有し、」の発明特定事項も削除されるものとなっている。
　また、同様に、本件補正により、本件補正前の請求項５に記載されていた「前記合成手段からの光束を投射する投射手段であって、少なくとも前記光源の光軸に対して前記投射手段の光軸を所定量ずらして配置した投射手段」の発明特定事項が、新請求項２では、「前記合成手段からの光束を投射する投射手段」と補正されることにより、本件補正前の前記「投射手段」から「少なくとも前記光源の光軸に対して前記投射手段の光軸を所定量ずらして配置した投射手段」の発明特定事項が削除されるものとなっている。
　
　そうすると、本件補正における新請求項１及び新請求項２についての前記補正は、特許法第１７条の２第４項の第１号、第２号、第３号及び第４号に規定されているところの、
　第１号：第三十六条第五項に規定する請求項の削除
　第２号：特許請求の範囲の減縮（第三十六条第五項の規定により請求項に記載した発明を特定するために必要な事項を限定するものであって、その補正前の当該請求項に記載された発明とその補正後の当該請求項に記載される発明の産業上の利用分野及び解決しようとする課題が同一であるものに限る。）
　第３号：誤記の訂正
　第４号：明りようでない記載の釈明（拒絶理由通知に係る拒絶の理由に示す事項についてするものに限る。）
のいずれの目的にも該当しない補正であることが明らかである。
　したがって、本件補正は、特許法第１７条の２第４項の第１号ないし第４号に規定する補正の目的のいずれにも該当しない補正を含むものである。
　
（３）むすび
　以上のとおり、本件補正は、特許法第１７条の２第４項の規定に適合していない補正を含んでいるから、本件補正は、同法第１５９条第１項において読み替えて準用する同法第５３条第１項の規定により却下すべきものである。
　
第３　本願発明について
１　本願発明
　上記「第２」欄に前述した理由により、平成１８年７月１８日付の手続補正が却下されたことにより、本願発明は、平成１８年３月１６日付の手続補正により補正された特許請求の範囲の請求項１ないし請求項５に記載された事項により特定されるとおりのものであるところ、その請求項１に係る発明は次のとおりのものである（上記「第２」の「１　補正の内容」欄を参照）。
「【請求項１】
　光束を出射する光源と、
　前記光源からの光束を複数色に分離する分離手段と、
　前記複数色の各々に対応して配置された複数個のライトバルブと、
　少なくとも、前記複数個のライトバルブからの光束を合成する合成手段と、前記合成手段からの光束を投射する投射手段を有する投射系ユニットと、
　少なくとも、前記光源と前記分離手段とを有するケースとを有し、
　前記投射系ユニットは、一体的に、前記ケースに支持されることを特徴とする表示装置。」（以下、これを「本願発明１」という。）
　
２　引用刊行物及びその記載事項
　原審における拒絶査定の理由に引用された、本願の特許出願前に頒布された刊行物である特開平１０−１８６５１２号公報（以下、「引用刊行物」という。）には、「投射型表示装置」に関し、図面の記載とともに次の事項が記載されている。
「【特許請求の範囲】
　【請求項１】　光源ランプユニットから出射された光束を光学的に処理して画像情報に対応した光学像を形成し、この光学像を投写レンズユニットにより投写面上に拡大投写する光学ユニットと、この光学ユニットに電力を供給する電源ユニットと、前記光源ランプユニット、前記光学ユニットおよび前記電源ユニットを収納する外装ケースとを備えた投写型表示装置であって、
　前記光学ユニットは、前記光束を複数色の光束に分離する色分離光学系と、分離された前記光束のそれぞれを前記画像情報に基づいて変調して変調光束として出射する変調系と、各々の前記変調光束を合成して前記投写レンズユニットに出射する色合成光学系とを備え、
　前記投写レンズユニットおよび前記色合成光学系は、ヘッド板に搭載され、
　前記外装ケース内には、前記ヘッド板を支持する支持部が設けられ、
　前記ヘッド板は、前記投写レンズユニットの基端側が固定される垂直壁と、この垂直壁の下端部から水平方向に延びて前記色合成光学系を支持する底壁と、前記外装ケース内に設けられた前記支持部に支持される被支持部とを備えたことを特徴とする投写型表示装置。」
「【０００１】【発明の属する技術分野】　本発明は、光源ランプユニットから出射された光束を光学的に処理して画像情報に対応した光学像を形成し、この光学像を投写レンズユニットにより投写面上に拡大投写する光学ユニットと、この光学ユニットに電力を供給する電源ユニットとを備えた投写型表示装置に関する。」
「【００１９】【発明の実施の形態】　以下に、図面を参照して本発明の実施の一形態である投写型表示装置を説明する。
　【００２０】　１．装置の全体構成
　図１（Ａ）、（Ｂ）には、第１実施形態に係る投写型表示装置１の正面図、背面図が示され、図２（Ａ）、（Ｂ）には、投写型表示装置１の上面図、底面図が示されている。
　【００２１】　前記投写型表示装置１は、略直方体形状を有し、内部に後述する光学ユニット１０が収納される外装ケース２と、図１（Ａ）から判るように、この外装ケース２の正面に突出して設けられる投写レンズユニット６とを含んで形成される。
　【００２２】　外装ケース２は、この投写レンズユニット６の略中央部分で上下に分割され、投写型表示装置１の上面部分を覆うアッパーケース３と、底面部分を覆うロアーケース４と、図１（Ｂ）に示す投写型表示装置１の背面部分を覆うリアケース５とから構成されている。」
「【００４２】　３−１．光学ユニットの構造
　光学ユニット１０は、光源ランプをランプハウジング内に収納した光源ランプユニット８と、この光源ランプユニット８から出射された光束を光学的に処理して画像情報に対応した光学像を形成する光学レンズユニット９と、光学レンズユニット９によって形成された光学像を合成するプリズムユニット９１０と、合成された光学像を投写面上に拡大投写する投写レンズユニット６とを含んで構成される。
　【００４３】　光源ランプユニット８および光学レンズユニット９は、図４から判るように、外装ケース２の内部に設けられて平面略Ｌ字状の光路が確保されたライトガイド１００に収納される。プリズムユニット９１０は、ライトガイド１００の切り欠き部分９００１、９００２（図６参照）に配置され、投写レンズユニット６はこのライトガイド１００の側面から突出して設けられている。
　【００４４】　図４から判るように、光源ランプユニット８から投写レンズユニット６に至る光路は全体として略Ｌ字状になっている。従って、ライトガイド１００の平面形状は、これに対応して、略Ｌ字形となっている。ライトガイド１００は、外装ケース２の内部空間の後側半分以上を占有している。なお、光源ランプユニット８は、図３に示す光源ランプユニット収納部８００の位置に交換可能な状態で収納される。」
「【００５４】　４．光学系
　図４（Ｂ）を参照して、光学ユニット１０に組み込まれている光学系について説明する。
　【００５５】　本実施形態の光学系は、光源ランプユニット８と、３つのライトバルブ９２５Ｒ、９２５Ｇ、９２５Ｂを照明する光の面内照度分布を均一化する照明光学系９２３と、この照明光学系９２３から出射される光束を、赤、緑、青の各色光束Ｒ、Ｇ、Ｂに分離する色分離光学系９２４と、各色光束を変調する変調系を構成する３つのライトバルブ９２５Ｒ、９２５Ｇ、９２５Ｂと、変調された色光束を再合成する色合成光学系としてのプリズムユニット９１０と、合成された光束をスクリーン上に拡大投写する投写レンズユニット６とから構成される。」
「【００６４】　４−２．色分離光学系および変調系
　色分離光学系９２４は、図４（Ｂ）に示すように、赤緑反射ダイクロイックミラー９４１と、緑反射ダイクロイックミラー９４２と、反射ミラー９４３とから構成される。
　【００６５】　照明光学系９２３から出射された光束に含まれる青色光束Ｂは、赤緑反射ダイクロイックミラー９４１を通過して、後方の反射ミラー９４３で直角に反射されて、青色光束の出射部からプリズムユニット９１０の側に出射される。
　【００６６】　赤および緑の光束Ｒ、Ｇは、ミラー９４１で反射され、緑反射ダイクロイックミラー９４２において、緑色光束Ｇのみが直角に反射されて、緑色光束の出射部から色合成光学系の側に出射される。
　【００６７】　このミラー９４２を通過した赤色光束Ｒは、赤色光束の出射部から導光系９２７の側に出射される。
　【００６８】　色分離光学系９２４の赤色光束Ｒ、緑色光束Ｇの出射部の出射側には、それぞれ集光レンズ９５１、９５２が配置され、各出射部から出射した光束は、これらの集光レンズ９５１、９５２によって平行化される。
　【００６９】　このように平行化された青色および緑色の光束Ｂ、Ｇは、ライトバルブ９２５Ｂ、９２５Ｇに入射して変調され、各色光に対応した画像情報が付加される。
　【００７０】　すなわち、これらのライトバルブ９２５Ｂ、９２５Ｇは、不図示の駆動手段によって画像情報に応じてスイッチング制御され、これにより、ここを通過する各色光の変調が行われる。
　【００７１】　このような駆動手段は公知の手段をそのまま使用することができる。
　【００７２】　一方、赤色光束Ｒは、導光系９２７を介して対応するライトバルブ９２５Ｒに導かれて、ここにおいて、同様に画像情報に応じて変調が施される。
　【００７３】　導光系９２７は、入射側レンズ９７４と、入射側反射ミラー９７１と、出射側反射ミラー９７２と、これらの間に配置した中間レンズ９７３と、ライトバルブ９２５Ｂの手前側に配置した集光レンズ９５３とで構成されている。
　【００７４】　光源ランプユニット８から各ライトバルブ９２５Ｒ、９２５Ｇ、９２５Ｂまでの光路の長さは、赤色光束Ｒの場合が最も長く、従って、光の拡散による損失は、赤色光の場合が最も多くなる。しかしながら、このような導光系９２７を配置することにより、赤色光の損失をある程度抑制することが可能となる。
　【００７５】　なお、本実施形態におけるライトバルブ９２５Ｒ、９２５Ｇ、９２５Ｂは、一対の偏光板と、その間に配置された液晶パネルとからなる液晶ライトバルブである。」
「【００７６】　４−３．色合成光学系
　次に、各ライトバルブ９２５Ｒ、９２５Ｇ、９２５Ｂを通って変調された各色光束は、色合成光学系を構成するプリズムユニット９１０に入射され、ここで再合成される。
　【００７７】　そして、ここで再合成によって形成されたカラー映像は、投写レンズユニット６を介して、所定の位置にあるスクリーン上に拡大投写される。」
「【００８２】　５．ライトガイドの構造
　上記の光学系のうち、光源ランプユニット８と、色合成手段を構成するプリズムユニット９１０と、投写レンズユニット６以外の光学素子の全てが、図６に示す形状のライトガイド１００内に収納配置されている。このライトガイド１００は、上ライトガイド９０２と下ライトガイド９０１とから構成され、上下のライトガイド９０１、９０２の間に前記光学素子が上下から挟まれて保持されている。光源ランプユニット８は、下ライトガイド９０１に形成された光源ランプユニット収納部８００に収納される。
　【００８３】　上ライトガイド９０２および下ライトガイド９０１は、後述するヘッド板９０３を介してプリズムユニット９１０および投写レンズユニット６と一体化され、固定ねじによりロアーケース４に固定される。このため、下ライトガイド９０１の下面および上ライトガイド９０２の上面には、プリズムユニット９１０とヘッド板９０３とを組み込むために、矩形の切り欠き９００１、９００２が形成されている。」
「【００８７】　６．ヘッド板の構造
　プリズムユニット９１０は、図７および図８に示すマグネシウムのダイキャスト板である薄手のヘッド板９０３の表面側（図７に向かって手前側）に固定ねじによって固定される。
　【００８８】　ヘッド板９０３は、装置の幅方向に向けて垂直な姿勢で延びる垂直壁９１と、この垂直壁９１の下端から水平に延びてプリズムユニット９１０を支持する底壁９２とから基本的に構成されている。
　【００８９】　垂直壁９１の中央部分には、プリズムユニット９１０からの出射光が通過するための矩形の開口９１ｂが形成されている。この垂直壁９１には投写レンズユニット６の基端側を固定するためのねじ孔９１ｄが４か所に形成され、位置決め用のダボ９１ｅが２か所に形成されている。
　【００９０】　底壁９２のプリズムユニット９１０の取付位置に対応する部分には、底壁下面に連通する連通孔９１ｇが３箇所形成され、この連通孔９１ｇ上にプリズムユニット９１０の取り付け部分９１ｈが形成されている。
　【００９１】　この取り付け部分９１ｈには、ねじ孔９１ｃが形成され、このねじ孔９１ｃを利用して、プリズムユニット９１０がヘッド板９０３に対してねじ固定される。
　【００９２】　垂直壁９１のうち開口９１ｂの両側の部分には、それぞれ、ヘッド板９０３をロアーケース４の内面側に設けられた一対の支持部としての支柱４０（図３参照）に結合するための被支持部である固定面９３が設けられている。これらの固定面９３は、底壁９２と平行に垂直壁９１に突設され、ロアーケース４の支柱４０の受け面４１に支持固定される。また、固定面９３には、それぞれ孔９３ｂとねじ孔９３ｃとが設けられており、支持部４０の受け面４１は、それぞれボス４１ｂとねじ孔４１ｃとが設けられている。そして、固定面９３に設けられた孔９３ｂにボス４１ｂを係合させ、さらにねじ孔９３ｃとねじ孔４１ｃとにねじを挿入することにより、固定面９３と支持部４０とが固定される。なお、固定面９３と支持部４０とは必ずしも固定する必要はないが、このようにねじ固定することにより、外部からの衝撃等によって光学系の光軸がずれるといった問題を解消することが可能である。
　【００９３】　また、垂直壁９１には、これらの固定面９３と直交する面状の補強リブ９３ａが立設され、この補強リブ９３ａは固定面９３と一体的に形成されている。
　【００９４】　固定面９３は、図９に示すように、垂直壁９１のうち、投写レンズユニット６の外形の上端の高さ位置から下端の高さ位置までの高さ範囲Ｈ内に設けられている。具体的には、固定面９３は、垂直壁９１のうち、投写レンズユニット６の光軸６Ａと略同じ高さ位置に設けられている。換言すると、固定面９３の高さ位置は、垂直壁９１全体の高さを１としたときに、当該垂直壁９１の下端から３分の１以上３分の２以下の高さ範囲内とされている。なお、固定面９３の高さ位置は、より好ましくは、垂直壁９１の下端から３分の２以上の位置である。」
　
　そうしてみると、引用刊行物の上記摘記事項及び図面の図示からみて、前記引用刊行物には、次の発明（以下、これを「引用発明」という。）の記載が認められる。
「光源ランプユニット８から出射された光束を光学的に処理して画像情報に対応した光学像を形成し、この光学像を投写レンズユニット６により投写面上に拡大投写する光学ユニット１０と、この光学ユニット１０に電力を供給する電源ユニット７と、前記光源ランプユニット８、前記光学ユニット１０および前記電源ユニット７を収納する外装ケース２とを備えた投写型表示装置１であって、
　前記光学ユニット１０は、前記光束を複数色の光束に分離する色分離光学系９２４と、分離された前記光束のそれぞれを前記画像情報に基づいて変調して変調光束として出射するライトバルブからなる変調系９２５Ｒ，９２５Ｇ，９２５Ｂと、各々の前記変調光束を合成して前記投写レンズユニット６に出射する色合成手段を構成するプリズムユニット９１０とを備え、
　光源ランプユニット８と、色合成手段を構成するプリズムユニット９１０と、投写レンズユニット６以外の光学素子の全てが、上ライトガイド９０２と下ライトガイド９０１とから構成されるライトガイド１００内に収納配置されるとともに、前記投写レンズユニット６および前記色合成手段を構成するプリズムユニット９１０は、ヘッド板９０３に搭載され、
　前記外装ケース２のロアーケース４の内面側に、前記ヘッド板９０３を支持する支持部としての支柱４０が設けられ、
　前記ヘッド板９０３は、前記投写レンズユニット６の基端側が固定される垂直壁９１と、この垂直壁９１の下端部から水平方向に延びて前記色合成手段を構成するプリズムユニット９１０を支持する底壁９２と、前記外装ケース２のロアーケース４に設けられた前記支持部としての支柱４０に支持される被支持部である固定面９３とを備えた投写型表示装置」
　
３　当審の判断
（１）対比
　本願発明１と上記引用発明とを比較すると、引用発明における「光源ランプユニット８」、「前記光束を複数色の光束に分離する色分離光学系９２４」、「分離された前記光束のそれぞれを前記画像情報に基づいて変調して変調光束として出射するライトバルブからなる変調系９２５Ｒ，９２５Ｇ，９２５Ｂ」、「各々の前記変調光束を合成して前記投写レンズユニット６に出射する色合成手段を構成するプリズムユニット９１０」、「投写レンズユニット６」及び「投写型表示装置１」のそれぞれが、本願発明１の「光束を出射する光源」、「前記光源からの光束を複数色に分離する分離手段」、「前記複数色の各々に対応して配置された複数個のライトバルブ」、「前記複数個のライトバルブからの光束を合成する合成手段」、「前記合成手段からの光束を投射する投射手段」及び「表示装置」にそれぞれ相当することは明らかである。
　また、引用発明の「前記光源ランプユニット８、前記光学ユニット１０および前記電源ユニット７を収納する外装ケース２」は、光源に相当する「光源ランプユニット８」と、分離手段に相当する「光学ユニット１０の中の色分離光学系９２４」の他にも「電源ユニット７」を、前記外装ケース２が収納しているから、引用発明の前記「前記光源ランプユニット８、前記光学ユニット１０および前記電源ユニット７を収納する外装ケース２」は、本願発明１の「少なくとも、前記光源と前記分離手段とを有するケース」に相当する。
　そして、引用発明の「前記投写レンズユニット６および前記色合成手段を構成するプリズムユニット９１０を搭載するヘッド板９０３」と、本願発明１の「少なくとも、前記複数個のライトバルブからの光束を合成する合成手段と、前記合成手段からの光束を投射する投射手段を有する投射系ユニット」とは、いずれも、前記複数個のライトバルブからの光束を合成する合成手段と前記合成手段からの光束を投射する投射手段とを、投射系として統合し、単位化するものであるから、両者はともに「前記複数個のライトバルブからの光束を合成する合成手段と、前記合成手段からの光束を投射する投射手段との投射系統合単位体」である点で共通する。
　さらに、引用発明の投写型表示装置は、外装ケース２のロアーケース４の内面側に支柱４０が設けられてあり、支持部としての前記支柱４０に、投写レンズユニット６およびプリズムユニット９１０が搭載されるヘッド板９０３を固定して支持しているから、引用発明の「投写レンズユニット６およびプリズムユニット９１０が搭載されるヘッド板９０３が、外装ケース２のロアーケース４の内面側に設けられた支柱４０に支持される」構成が、本願発明１の「投射系統合単位体は、一体的に、前記ケースに支持される」構成に相当する。
　
　そうすると、本願発明１と引用発明とは、
「光束を出射する光源と、
　前記光源からの光束を複数色に分離する分離手段と、
　前記複数色の各々に対応して配置された複数個のライトバルブと、
　前記複数個のライトバルブからの光束を合成する合成手段と、前記合成手段からの光束を投射する投射手段との投射系統合単位体と、
　少なくとも、前記光源と前記分離手段とを有するケースとを有し、
　前記投射系統合単位体は、一体的に、前記ケースに支持される表示装置」
である点で一致し、次の点で構成が相違する。
　相違点：投射系統合単位体に関して、本願発明１の投射系統合単位体が「
少なくとも
　
（２）相違点についての検討
　原審における拒絶査定の理由に引用された、本願の特許出願前に頒布された刊行物である特開平３−２９６７３５号公報、特開平１−３０２３８７号公報、及び特開平６−１４３２６号公報に開示されているように、「表示装置の投射系ユニットとして、複数個のライトバルブからの光束を合成する合成手段と、前記合成手段からの光束を投射する投射手段のみならず、複数色の各々に対応して配置された複数個のライトバルブをも併せて有する表示装置の投射系ユニット」は、本願特許出願時の周知技術であるといえる。
　そうすると、前記周知技術に基いて、投射系統合単位体として、複数個のライトバルブからの光束を合成する合成手段と、前記合成手段からの光束を投射する投射手段のみならず、複数色の各々に対応して配置された複数個のライトバルブをも併せて有するように、引用発明の合成手段と投射手段とのみを有する投射系統合単位体の構成を変更することにより、本願発明１の前記相違点に係る「少なくとも、前記複数個のライトバルブからの光束を合成する合成手段と、前記合成手段からの光束を投射する投射手段を有する投射系ユニット」の構成とすることは、当業者が容易になし得ることである。
　
　そして、本願発明１の奏する作用効果は、引用発明及び周知技術から予測できる範囲内のものであって、格別のものということができない。
　
（３）まとめ
　したがって、本願発明１は、引用発明及び周知技術に基いて当業者が容易に発明をすることができたものである。
　
４　むすび
　以上のとおりであり、本願発明１は、引用発明及び周知技術に基いて当業者が容易に発明をすることができたものであるから、本願発明１は特許法第２９条第２項の規定により特許を受けることができないので、他の請求項に係る発明について検討するまでもなく、本願は、拒絶されるべきものである。
　よって、結論のとおり審決する。